(57)【要約】  動的運動による非侵襲的治療装置を受容する補助支持構造について、複数の実施形態を示す。動的運動による非侵襲的治療装置は、姿勢が不安定な患者、嚢胞性線維症などの病気にかかっている患者、および対麻痺患者に対し、振動治療を施すものである。動的運動による非侵襲的治療装置は、通常、患者の筋骨格系および／または内臓に振動治療を施せば有益な結果が得られるであろうと判断された場合に使用される。この補助支持構造によれば、患者は、処置を受ける間、動的運動による非侵襲的治療装置の振動テーブルまたは不安定な振動プラットフォームの上で支持されることが可能になる。
2008531238.tif 000002
【特許請求の範囲】
【請求項１】
接触する患者に対して振動治療を施すことが可能な、変位可能に支持されたプラットフォームを含む動的運動による治療装置の係合手段であって、動的運動による治療装置を着脱自在に受容する大きさの受容領域を規定する係合手段と、
係合手段と動作可能に結合し、変位可能に支持されたプラットフォームに接触する患者を支持する支持手段とを含むことを特徴とする支持構造装置。
【請求項２】
支持手段は椅子を含み、該椅子は、患者が振動治療を受けている間腰掛けることができるようにフレームに実装された座部を有することを特徴とする請求項１に記載の装置。
【請求項３】
係合手段は基部を含み、該基部とフレームが動作可能に結合することを特徴とする請求項２に記載の装置。
【請求項４】
椅子は膝椅子であることを特徴とする請求項２に記載の装置。
【請求項５】
支持手段は、フレームに実装された２本の手摺を含むことを特徴とする請求項１に記載の装置。
【請求項６】
係合手段は、基部を含み、該基部とフレームが動作可能に結合することを特徴とする請求項５に記載の装置。
【請求項７】
手摺は、横材によって動作可能に結合され、該横材は、作業領域、電源コンセント、カップ・ホルダおよび／またはボトル・ホルダ、処置等に関する情報を表示するディスプレイ、装置の動作を制御するコントロール・パネル、装置に接続するためのインターフェース回路、ならびにビデオゲームおよびＣＤを再生する娯楽機器のうち、１または２以上を含むことを特徴とする請求項５に記載の装置。
【請求項８】
支持手段は、伸長部材を有するフレームを含み、該伸長部材はそれぞれ、係合手段の基部に延設される各実装用シューズに収まる大きさに構成され、該実装用シューズは、フレームを基部と動作可能に結合することを特徴とする請求項１に記載の装置。
【請求項９】
少なくとも１つの実装用シューズはドアを含み、該ドアを開閉させて、少なくとも１つの伸長部材を該実装用シューズ内に横から挿入することを特徴とする請求項８に記載の装置。
【請求項１０】
係合手段は、動的運動による治療装置の電気コネクタと電気接続させるための電気コネクタを含むことを特徴とする請求項１に記載の装置。
【請求項１１】
接触する患者に対して振動治療を施すことが可能な、変位可能に支持されたプラットフォームを含む動的運動による治療装置を、着脱自在に受容する大きさに構成された開口を規定する基部と、
該基部と動作可能に結合する支持機構であって、変位可能に支持されたプラットフォームに接触する患者を支持する少なくとも１つの支持部材を有する支持機構とを含むことを特徴とする支持構造装置。
【請求項１２】
少なくとも１つの支持部材は、患者が振動治療を受けている間腰掛けることができるようにフレームに実装された座部を有する椅子であることを特徴とする請求項１１に記載の装置。
【請求項１３】
椅子は、膝椅子であることを特徴とする請求項１２に記載の装置。
【請求項１４】
支持機構は、基部と動作可能に結合するフレームを含むことを特徴とする請求項１１に記載の装置。
【請求項１５】
少なくとも１つの支持部材は、フレームに実装された手摺であることを特徴とする請求項１１に記載の装置。
【請求項１６】
少なくとも１つの支持部材は、歩行器であることを特徴とする請求項１１に記載の装置。
【請求項１７】
少なくとも１つの支持部材は、第１の手摺および第２の手摺を含み、該第１の手摺と該第２の手摺とは横材によって動作可能に結合され、該横材は、作業領域、電源コンセント、カップ・ホルダおよび／またはボトル・ホルダ、処置等に関する情報を表示するディスプレイ、装置の動作を制御するコントロール・パネル、装置に接続するためのインターフェース回路、ならびにビデオゲームおよびＣＤを再生する娯楽機器のうち、１または２以上を含むことを特徴とする請求項１１に記載の装置。
【請求項１８】
支持機構は、伸長部材を有するフレームを含み、該伸長部材はそれぞれ、基部に延設される各実装用シューズに収まる大きさに構成され、該実装用シューズは、フレームを基部と動作可能に結合することを特徴とする請求項１１に記載の装置。
【請求項１９】
少なくとも１つの実装用シューズがドアを含み、該ドアを開閉させて、少なくとも１つの伸長部材を該実装用シューズ内に横から挿入することを特徴とする請求項１８に記載の装置。
【請求項２０】
基部は、動的運動による治療装置の電気コネクタと電気接続させるための電気コネクタを含むことを特徴とする請求項１１に記載の装置。
【請求項２１】
接触する患者に対して振動治療を施すことが可能な、変位可能に支持されたプラットフォームを含む動的運動による治療装置を、着脱自在に受容する大きさに構成された開口を規定する基部と、
該基部と動作可能に結合する膝椅子支持機構であって、変位可能に支持されたプラットフォームに接触する患者を支持する座部および少なくとも１つの膝パッドを有する膝椅子支持機構とを含むことを特徴とする膝椅子支持構造装置。
【請求項２２】
接触する患者に対して振動治療を施すことが可能な、変位可能に支持されたプラットフォームを含む動的運動による治療装置を、着脱自在に受容する大きさに構成された凹部を規定する基部と、
該基部と動作可能に結合する手摺であって、変位可能に支持されたプラットフォームに接触する患者を支持する少なくとも１つの手摺とを含むことを特徴とする手摺構造装置。
【発明の詳細な説明】
【発明の詳細な説明】
【０００１】
優先権
本出願は、２００５年３月７日に出願した米国仮出願第６０／６５９１５９号に基づく優先権を主張する。この出願の内容はすべて、参照によって本明細書に組込まれる。
【０００２】
発明の背景
１．技術分野
本発明は、治療装置に関する。より詳細には、動的運動による非侵襲的治療装置の受容に適してなる補助支持構造に関する。動的運動による非侵襲的治療装置は、姿勢が不安定な患者、嚢胞性線維症などの病気の患者、および対麻痺患者に対し、振動を与えて治療するものである。
【０００３】
２．先行技術の説明
共鳴振動を利用して不安定な姿勢を治療する方法は、米国特許第６６０７４９７号明細書に記載されている。この方法は、変位可能に支持されたプラットフォームを備えた振動テーブルを有する装置であって、動的運動によって非侵襲的に治療する装置を提供する工程（ａ）と、変位可能に支持されたプラットフォーム上に患者が所定の時間、立っていられるようにする工程（ｂ）と、所定の処置時間の間、工程（ａ）および工程（ｂ）を繰返し行う工程（ｃ）とを含む。工程（ｂ）は、振動測定装置を用いて患者の筋骨格系の振動応答を測定する工程（ｂ１）と、振動応答の周波数を分解して振動応答を特定の振動スペクトルに数値化する工程（ｂ２）と、振動スペクトルを分析して、少なくとも姿勢の不安定さを評価する工程（ｂ３）とを含む。
【０００４】
米国特許第６６０７４９７Ｂ２号明細書に記載されている方法を用いると、患者は、振動テーブル、つまり不安定な振動プラットフォーム上に立つことになる。そして、患者は、不安定な振動プラットフォームから振動の刺激を受ける。この不安定な振動プラットフォームによって、患者の感覚神経の制御系には、振動による摂動が生じる。この振動による摂動は、患者の筋肉の少なくとも一部において信号を発生させるので、筋骨格系から測定可能な応答が発せられる。患者の不安定な姿勢を改善するためには、１日１０分程度の所定の処置時間中、これらの工程を繰返す。
【０００５】
動的運動による治療装置の処置を受ける患者が、処置の間、変位可能に支持されたプラットフォームの上で快適かつ痛みのない状態でいられるように、患者を助ける支持を設ける必要が生じることはよくある。したがって、米国特許第６６０７４９７号明細書に記載されているように、動的運動による非侵襲的治療装置によって生じる共鳴振動または振動の刺激を利用して、２００５年８月１８日に出願された米国特許仮出願第１１／２０７３３５号明細書に記載されているように、対麻痺患者、姿勢が不安定な患者、または嚢胞性線維症、腎臓結石および胆石などの病気の治療を受けている患者にとって補助となるような、動的運動による非侵襲的治療装置を受容する補助支持構造が必要である。なお、上記の特許仮出願および特許の内容は、参照によって本明細書に組込まれる。
【０００６】
発明の概要
動的運動による非侵襲的治療装置を受容する補助支持構造について、複数の実施形態を開示する。動的運動による非侵襲的治療装置は、変位可能に支持されたプラットフォームを備えた振動テーブルを有し、姿勢が不安定な患者、嚢胞性線維症などの病気にかかっている患者、および対麻痺患者に対し、振動を与えて治療する。動的運動による非侵襲的治療装置には、さらに、処置に関連するデータなど、情報として利用できる内容もできない内容も表示するディスプレイを有する表示装置が振動テーブルの一端に含まれる。
【０００７】
動的運動による非侵襲的治療装置は、通常、患者の筋骨格系および／または内臓に振動治療を施せば有益な結果が得られるであろうと判断された場合に使用される。本明細書が開示する補助支持構造によれば、患者は、処置を受ける間、動的運動による非侵襲的治療装置の変位可能に支持されたプラットフォームの上で支持されることが可能になる。
【０００８】
本発明の一実施形態において、補助支持構造は、座部と、膝パッドと、座部および膝パッドを支持するフレームとを有する膝椅子を含む膝椅子支持構造である。支持構造は、動的運動による非侵襲的治療装置を受容する大きさに構成された凹部または開口を中央に有する矩形基部をさらに含む。矩形基部は、フレームと結合する実装用シューズをさらに含み、このシューズによって、フレームおよび膝椅子は、動的運動による非侵襲的治療装置の変位可能に支持されたプラットフォーム上で、これと直に接触しないように間隔を空けた位置に配置される。姿勢が不安定な患者または他の病気の患者は、処置の間、座部に腰掛け、変位可能に支持されたプラットフォームに足を着ける。したがって、患者が動的運動による処置を受けている間、変位可能に支持されたプラットフォームによって生じる摂動または振動が患者に伝わる一方、患者は膝椅子支持構造によって支持される。
【０００９】
変位可能に支持されたプラットフォーム上で立てない程に姿勢が不安定な重症患者または他の病気の重症患者は、膝椅子支持構造に腰掛けて動的運動による治療装置の治療を受けることができる。座部に腰掛けながら、膝椅子支持構造によって体重を座部と膝パッドとに分配し、圧点を最小にする。膝椅子支持構造は、患者の背骨を自然なＳ字型に保つのに役立つ。また、膝椅子支持構造によれば、腰を前に動かすことによって、背中、肩、および首が一直線になって直立姿勢となり、こうすることで患者の不快感および痛みが和らげられる。
【００１０】
他の実施形態において、補助支持構造には、人間工学的手摺構造が含まれ、人間工学に基づいた２本の手摺が実装用シューズによって矩形基部に実装される。矩形基部は、その中央に、動的運動による非侵襲的治療装置を受容する大きさに構成された凹部または開口を有する。姿勢が不安定な患者または他の病気の患者は、処置の間、変位可能に支持されたプラットフォーム上に立ち、人間工学に基づいた２本の手摺を把持することによって、動的運動による非侵襲的治療装置の治療を受ける間、自身のバランスを維持できる。患者が動的運動による処置を受けている間、変位可能に支持されたプラットフォームによって生じる摂動または振動が患者に伝わる一方、患者は人間工学的手摺構造によって支持される。いずれの実施形態においても、実装用シューズは標準的な歩行器を実装できるように間隔が空けられている。
【００１１】
別の実施形態においては、人間工学に基づいた２本の手摺が矩形基部に固定されている。さらに別の実施形態では、矩形基部が電気コネクタのある凹部を含み、この電気コネクタを動的運動による非侵襲的治療装置の裏面にある電気コネクタに接続すると電気的接続が生じる。この電気的接続によって、補助支持構造の表示装置に信号を送信することができ、動的運動による非侵襲的治療装置のディスプレイに表示される内容と同じものが表示装置のディスプレイに表示される。
【００１２】
以下の図面を参照し、好適な実施形態に関する以下の記載において、本発明を詳細に説明する。
【００１３】
好適な実施形態の詳細な説明
動的運動による非侵襲的治療装置を受容するように構成された補助支持構造について、複数の実施形態を本明細書に開示する。動的運動による非侵襲的治療装置は、変位可能に支持されたプラットフォームを備えた振動テーブルを有し、姿勢が不安定な患者、嚢胞性線維症などの病気にかかっている患者、および対麻痺患者に対し、振動を与えて治療する。動的運動による非侵襲的治療装置は、通常、患者の筋骨格系および／または内臓に振動治療を施せば有益な結果が得られるであろうと判断された場合に使用される。本明細書が開示する補助支持構造によって、患者は、以下においてさらに説明するように、処置を受ける間、動的運動による非侵襲的治療装置の変位可能に支持されたプラットフォームの上で支持されることが可能になる。
【００１４】
図１を参照すると、本発明に係る動的運動による非侵襲的治療装置を示す斜視図が示されている。動的運動による非侵襲的治療装置は、全体が参照符号１００で示され、変位可能に支持されたプラットフォーム１０４を備えた振動テーブル１０２を含む。動的運動による非侵襲的治療装置１００は、さらに、ディスプレイ１０８を備えた表示装置１０６を含む。また、動的運動による非侵襲的治療装置１００は、平坦な表面に装置１００を載せるためのフット・レスト１１０をさらに含む。
【００１５】
変位可能に支持されたプラットフォーム１０４は、電動式ばね機構（図示せず）の上に置かれ、この電動式ばね機構の電源を入れると、プラットフォーム１０４が動く。これに代えて、変位可能に支持されたプラットフォーム１０４を複数のばねまたはコイルの上に置いて、患者がプラットフォーム１０４上に立つと、変位可能に支持されたプラットフォーム１０４が動くようにしてもよい。さらに、変位可能に支持されたプラットフォーム１０４は、ばね以外の様々な弾性体（ゴム、エラストマ、発泡体など）を含んでよい。
【００１６】
図２〜図６を参照すると、本発明に係る補助支持構造の第１実施形態において、全体が参照符号２００で示される膝椅子補助支持構造は、座部２０２および膝パッド２０４がフレーム２０６に実装されている（図３参照）。膝椅子支持構造２００には、座部２０２の高さ範囲を調節する座部調節機構がさらに含まれてよい。
【００１７】
フレーム２０６は、矩形基部２１４の外側面２１２に設けられる４つの実装用シューズに収められる４本の伸長部材２０８を含む。矩形基部２１４は、その裏面２１８に４つの支持部材２１６を含む。図２に示すように、矩形基部には、さらに、動的運動による非侵襲的治療装置１００を受容する大きさに構成された開口２２０が含まれる。
【００１８】
動的運動による非侵襲的治療装置１００が矩形基部２１４の開口２２０に受容されて、フレーム２０６の伸長部材２０８が実装用シューズ２１０に収められてから、図４に示すように、変位可能に支持されたプラットフォーム１０４の上に膝椅子支持構造２００の座部２０２を置く。また、図４に示すように、変位可能に支持されたプラットフォーム１０４の平面に実装用シューズ２１０が延設され、これによって、フレーム２０６のどの部分も、変位可能に支持されたプラットフォーム１０４に触れることはないので、変位可能に支持されたプラットフォーム１０４にフレーム２０６が載せられることはない。
【００１９】
図５を参照すると、姿勢が不安定であったり、他の病気にかかっている患者２２２の治療のために動的運動による非侵襲的治療装置１００が作動している間、変位可能に支持されたプラットフォーム１０４によって生じる摂動または振動は、変位可能に支持されたプラットフォーム１０４上の患者の足から患者２２２に伝わる。
【００２０】
変位可能に支持されたプラットフォーム１０４上で立てない程に姿勢が不安定な重症患者または他の病気の重症患者は、膝椅子支持構造２００の座部２０２に腰掛けて動的運動による治療装置１００の治療を受けることができる。図５に示すように、座部２０２に腰掛けながら、膝椅子支持構造２００によって体重を座部２０２と膝パッド２０４とに分配し、圧点を最小にする。膝椅子支持構造２００は、患者の背骨を自然なＳ字型に保つのに役立つ。また、膝椅子支持構造２００によれば、腰を前に動かすことによって、背中、肩、および首が一直線になって直立姿勢となり、こうすることで患者の不快感および痛みが和らげられる。
【００２１】
図６を参照すると、実装用シューズ２１０によって、さらに、歩行器６００の前方の脚６０２および後方の脚６０４の下部を膝椅子静構造２００の矩形基部２１４に取付けることが可能になるといえる。前方の脚６０２と後方の脚６０４との間隔が異なる歩行器にも対応するように、実装用シューズ２１０が振動テーブル１０２の外側面２１２に沿って移動できるようにすることが考えられる。図６に示す実施形態において、歩行器６００は、ほぼ補助支持構造として機能している。
【００２２】
膝椅子支持構造２００の矩形基部２１４について、図７および図７Ａに示すように全体に参照符号７００を付した別の実施形態において、実装用貝型シューズ７０２が矩形基部７００の外側面７０４に取付けられ、各実装用貝型シューズ７０２には係止可能なドア７０６があり、これを開閉させれば、歩行器６００を持上げなくとも、歩行器６００の前方の脚６０２および後方の脚６０４の下部を実装用シューズ７０２に横から挿入させて固定させられる。
【００２３】
補助支持構造の第２実施形態において、人間工学的手摺構造は、図８に示すように設けられ、全体に参照符号８００が付される。人間工学的手摺構造８００は、人間工学に基づいた２本の手摺８０４を備えたフレーム８０２を含む。フレーム８０２は、矩形基部８１２の外側面８１０に設けられる４つの実装用シューズ８０８に収められる４本の伸長部材８０６を含む。椅子支持構造２００に対して、実装用シューズ８０８は、歩行器が上述のとおり矩形基部８１２に実装されるように間隔が空いていてもよい。矩形基部８１２は、その裏面８１６に４つの支持部材８１４をさらに含む。
【００２４】
手摺８０４どうしは、横材８１８によって一端で隣接させられる。横材８１８は、以下に挙げる１以上の部分を含むことが可能である。すなわち、患者がノート型パソコン、他のコンピュータ機器、本、メモ帳、ラジオ、テレビなどを置くことができる作業領域、電気機器の電気コード用電源コンセント、カップ・ホルダおよび／またはボトル・ホルダ、残りの処置時間および振動テーブル１０２の振動周期などの処置等に関する情報を表示するディスプレイ、動的運動による非侵襲的治療装置１００の動作を制御するコントロール・パネル、電極、心拍数モニタ、血圧モニタなどの医療機器を動的運動による非侵襲的治療装置１００に接続するためのインターフェース回路、ならびにビデオゲームおよびＣＤなどを再生する娯楽機器のうち、１つ以上が横材８１８に含まれてもよい。
【００２５】
図８〜図１０に示されるように、矩形基部８１２は、動的運動による非侵襲的治療装置１００を受容する大きさに構成された開口８１８をさらに含む。動的運動による非侵襲的治療装置１００が矩形基部８１２の開口８１８に受容されて、フレーム８０２の伸長部材８０６が実装用シューズ８０８に収められると、姿勢が不安定であったり、他の病気にかかっている患者８１０は、変位可能に支持されたプラットフォーム１０４上に立つことができ、変位可能に支持されたプラットフォーム１０４の摂動または振動によって、患者８１０を揺り動かすことができる。患者８１０は、処置の間、人間工学に基づいた２本の手摺８０４を把持することができ、動的運動による非侵襲的治療装置１００の治療を受ける間、自身のバランスを維持できる。
【００２６】
図１２〜図１５は、人間工学的手摺構造の別の実施形態を示す。別の実施形態の人間工学的手摺構造は、全体が参照符号１２００で示され、実装用シューズ以外の部分は、人間工学的手摺構造８００と同様である。本実施形態において、人間工学的手摺構造１２００は、人間工学に基づいた２本の手摺１２０４を備えたフレーム１２０２を含む。フレーム１２０２は、さらに、矩形基部１２１０の上部平面１２０８に固定される４つの管状伸長部材１２０６を含む。矩形基部１２１０は、その裏面１２１４に４つの支持部材１２１２を含む。
【００２７】
手摺１２０４どうしは、横材１２１６によって一端で隣接させられる。横材１２１６は、以下に挙げる１以上の部分を含むことが可能である。すなわち、患者がノート型パソコン、他のコンピュータ機器、本、メモ帳、ラジオ、テレビなどを置くことができる作業領域、電気機器の電気コード用電源コンセント、カップ・ホルダおよび／またはボトル・ホルダ、残りの処置時間および振動テーブル１０２の振動周期などの処置等に関する情報を表示するディスプレイ、動的運動による非侵襲的治療装置１００の動作を制御するコントロール・パネル、電極、心拍数モニタ、血圧モニタなどの医療機器を動的運動による非侵襲的治療装置１００に接続するためのインターフェース回路、ならびにビデオゲームおよびＣＤなどを再生する娯楽機器のうち、１つ以上が横材１２１６に含まれてもよい。
【００２８】
矩形基部１２１０は、動的運動による非侵襲的治療装置１００を受容する大きさに構成された開口１２１８をさらに含む。動的運動による非侵襲的治療装置１００が矩形基部１２１０の開口１２１８に受容されると、姿勢が不安定であったり、他の病気にかかっている患者１２１０は、変位可能に支持されたプラットフォーム１０４上に立つことができ、変位可能に支持されたプラットフォーム１０４の摂動または振動によって、患者１２１０を揺り動かすことができる。患者１２２０は、処置の間、人間工学に基づいた２本の手摺１２０４を把持することができ、動的運動による非侵襲的治療装置１００の治療を受ける間、自身のバランスを維持できる。
【００２９】
図１６〜図１９は、本発明に係る補助支持構造の別の実施形態を示し、全体が参照符号１６００で示される。本実施形態において、人間工学的手摺構造１６００は、人間工学に基づいた２本の手摺１６０４を備えたフレーム１６０２を含む。フレーム１６０２は、矩形基部１６１０の上部平面１６０８に実装される。矩形基部１６１０は、その裏面１６１４に４つの支持部材１６１２を含む。
【００３０】
手摺１６０４どうし、横材１６１６によって一端で隣接させられる。横材１６１６は、以下に挙げる１以上の部分を含むことが可能である。すなわち、患者がノート型パソコン、他のコンピュータ機器、本、メモ帳、ラジオ、テレビなどを置くことができる作業領域、電気機器の電気コード用電源コンセント、カップ・ホルダおよび／またはボトル・ホルダ、残りの処置時間および振動テーブル１０２の振動周期などの処置等に関する情報を表示するディスプレイ、動的運動による非侵襲的治療装置１００の動作を制御するコントロール・パネル、電極、心拍数モニタ、血圧モニタなどの医療機器を動的運動による非侵襲的治療装置１００に接続するためのインターフェース回路、ならびにビデオゲームおよびＣＤなどを再生する娯楽機器のうち、１つ以上が横材１６１６に含まれてもよい。
【００３１】
矩形基部１６１０は、動的運動による非侵襲的治療装置１００を受容する大きさに構成された中央凹部１６１８をさらに含む。中央凹部１６１８は、その四隅に、装置１００の各フット・レスト１１０を貫通させるための開口１６２０を有する。中央凹部１６１８は、その一端に、動的運動による非侵襲的治療装置１００の裏面にある電気コネクタ（図示せず）と電気接続させるための電気コネクタ１６２２を含む。２つの電気コネクタが互いに接続されると、横材１６１６のディスプレイ１６２３には、動的運動による非侵襲的治療装置１００のディスプレイ１０８に表示される内容と同じものが表示される。
【００３２】
動的運動による非侵襲的治療装置１００が矩形基部１６１０の開口１６２０に受容されて、２つの電気コネクタが互いに接続されると、姿勢が不安定であったり、他の病気にかかっている患者１６２４は、変位可能に支持されたプラットフォーム１０４上に立つことができ、変位可能に支持されたプラットフォーム１０４の摂動または振動によって、患者１６２４を揺り動かすことができる。患者１６２４は、処置の間、人間工学に基づいた２本の手摺１６０４を把持することができ、動的運動による非侵襲的治療装置１００の治療を受ける間、自身のバランスを維持できる。
【００３３】
図１６〜図１９に示すように、人間工学に基づいた手摺１６０４は、矩形基部１６１０の一端１６２６から矩形基部１６１０の外周縁１６２８に沿って徐々に高くなり、矩形基部１６１０の外周縁１６２８に沿いながら反対側の端部１６３０に到達する。人間工学的手摺構造１６００がこのように堅固に設計されることによって、背丈が異なる患者であっても、手摺１６０４を把持して動的運動による非侵襲的治療装置１００の治療を受けることができる。
【００３４】
図２０を参照すると、本発明に係る人間工学的手摺構造の別の実施形態が斜視図で示されている。人間工学的手摺構造のこの別の実施形態は、全体が参照符号２０００で示される。本実施形態において、人間工学的手摺構造２０００は、図２０に示すように、動的運動による非侵襲的治療装置１００ａを載置するための実装用トレイ２００４を備えたフレーム２００２を含む。実装用トレイ２００４は、フレーム２００２の垂直柱２００６の周りをその垂直柱２００６の一端において旋回可能であり、平面上にフレーム２００２を立たせるように構成されている。垂直柱２００６の他端には、垂直柱２００６から垂直に突出する２本の平行な伸長棒２００８が含まれる。
【００３５】
２本の平行な伸長棒２００８は、モニタ２０１０と、２つのカップ・ホルダ２０１２と、手摺構造２０１４とを支持する。調節ノブ２００９を引くことで、２本の平行な伸長棒２００８が垂直柱２００６に出し入れされ、フレーム２００２の高さが変わる。
【００３６】
モニタ２０１０は、振動治療を受けている患者に対して、ビデオなどで処置等に関する情報を表示する。モニタ２０１０は、モニタの支持２０１６の内部に収められる。患者が本、ノート型パソコンなどをモニタ２０１６に触れることなくモニタの支持２０１６上に置くことができるように、モニタ２０１０がモニタの支持２０１６の内部に埋込まれていることが好ましい。
【００３７】
手摺構造２０１４は、湾曲した保持棒２０１８および横に延びた保持棒２０２０を含む。患者は、動的運動による非侵襲的治療装置１００ａの昇降時、横に延びた保持棒２０２０を把持し、振動治療を受けている間、湾曲した保持棒２０１８を把持することが望ましい。
【００３８】
動的運動による非侵襲的治療装置１００ａが実装用トレイ２００４上に載置されると、姿勢が不安定な患者または他の病気にかかっている患者は、変位可能に支持されたプラットフォーム１０４上に立つことができ、変位可能に支持されたプラットフォーム１０４の摂動または振動によって、患者を揺り動かすことができる。患者は、処置の間、湾曲した保持棒２０１８を把持することができ、動的運動による非侵襲的治療装置１００ａの治療を受ける間、自身のバランスを維持できる。
【００３９】
図２１および図２２は、人間工学的支持構造を斜視図で示し、全体が参照符号２１００で示される。人間工学的支持構造２１００は、人間工学的手摺構造２１０２と、動的運動による非侵襲的治療装置１００ｂを支持するプラットフォーム２１０４とを含む。動的運動による非侵襲的治療装置１００ｂは、本発明に係る他の実施形態について上述したように、プラットフォーム２１０４と着脱自在であることが好ましい。
【００４０】
人間工学的手摺構造２１０２は、湾曲した内壁２１０８ａおよび外壁２１０８ｂと、この２枚の壁２１０８ａおよび２１０８ｂを結合する湾曲した２つの端部２１１０ａおよび２１１０ｂとを有する湾曲構造２１０６を含む。動的運動による非侵襲的治療装置１００ａの振動治療を受けている間、患者は、湾曲した長い端部２１１０ａを把持するか、湾曲した内壁２１０８ａに軽く触れる。
【００４１】
人間工学的支持構造２１００は、湾曲した内壁２１０８ａが規定する２枚の対向する表面２１１４ａおよび２１１４ｂの上に載置される座部２１１２（図２２）をさらに含む。したがって、動的運動による非侵襲的治療装置１００ａの振動治療を受ける間、患者は、座部２１１２に腰掛けることができる。
【００４２】
人間工学的支持構造２１００は、患者に付けられたＲＦＩＤタグを読取るＲＦＩＤ読取装置２１１６をさらに含み、患者を認識する。ＲＦＩＤ読取装置２１１６は、患者の識別データ等のデータをビデオなどで表示するディスプレイ２１１８をさらに含む。また、ＲＦＩＤ読取装置２１１６は、患者識別データなどの患者に関連するデータ、ならびに、たとえば、最近の５セッション分の振動治療の日付および継続時間などの治療データを保存するプロセッサ（図示せず）をも含む。患者に付けられた対応のＲＦＩＤタグがＲＦＩＤ読取装置２１１６によって読取られると、特定の患者ごとの患者関連データにアクセスされて、その部分がディスプレイ２１１８に表示される。
【００４３】
図２３は、人間工学的支持構造の別の実施形態を斜視図で示し、全体が参照符号２３００で示される。人間工学的支持構造２３００の構造および動作は、人間工学的支持構造２１００の構造および動作に類似するので、その部分は同一の参照符号を付す。また、人間工学的支持構造２３００には、人間工学的支持構造２１００について上述したものと類似の座部２１１２が備えられていてもよい。
【００４４】
人間工学的支持構造２３００は、図２３に示すように、湾曲した外壁２１０８ｂの一部に当接する垂直柱２３０２を含む。垂直柱２３０２は、患者の識別データおよび患者の治療データ等のデータをビデオなどで表示するモニタ２３０４を含む。患者が本、ノート型パソコンなどをモニタ２３０４に触れることなく垂直柱２３０２上に置くことができるように、モニタ２３０４が垂直柱２３０２の内部に埋込まれていることが好ましい。モニタ２３０４は、好ましくはタッチセンサ式であり、モニタ２３０４の画面に触れることで、動的運動による非侵襲的治療装置１００ａの動作を制御し、インターネットにアクセスしたり、メモリなどに保存されているデータにアクセスするなどの機能を実行する。垂直柱２３０２は、湾曲した端部２１１０ａの上部から下に凹型になった領域２３０６をさらに含み、患者は、この位置の湾曲した端部２１１０ａを把持することができる。
【００４５】
図２４は、人間工学的支持構造の別の実施形態を斜視図で示し、全体が参照符号２４００で示される。人間工学的支持構造２４００の構造および動作は、人間工学的支持構造２１００および２３００の構造および動作に類似するので、その部分は同一の参照符号を付す。また、人間工学的支持構造２４００には、人間工学的支持構造２１００について上述したものと類似の着脱式座部２１１２が備えられる。
【００４６】
人間工学的支持構造２４００は、患者の識別データおよび患者の治療データ等のデータをビデオなどで表示するモニタ２４０４を有する垂直柱２４０２を含む。患者が本、ノート型パソコンなどをモニタ２４０４に触れることなく垂直柱２４０２上に置くことができるように、モニタ２４０４が垂直柱２４０２の内部に埋込まれていることが好ましい。垂直柱２４０２は、それぞれに異なる患者の背丈に合わせて高さ調節が可能であることが好ましい。外壁２１０８ｂには別のモニタ２４０６が設置される。さらに、外壁２１０８ｂは、モニタ２４０６および制御ボタン２４１０の上に光源２４０８を備える。
【００４７】
図２０〜図２４に示す支持構造には、関連の技術分野において公知であるような、インターネットなどのネットワークに無線および／または有線で接続する回路およびその関連部品、ならびにネットワークを介してデータを送受信する少なくとも１つのプロセッサを備付けることが考えられる。送信データには、患者が治療方針と適合するかどうかを集中監視室において判断するための患者監視データ、および動的運動による非侵襲的治療装置上において患者が最適な治療効果を得られるように適切に位置付けられているかを判断するためのデータを含めることができる。このデータは、支持構造に実装されるビデオカメラおよび／または少なくとも１つのセンサによって得られるビデオおよび／またはセンサ・データであって、ネットワークを介して集中監視室に送信されるものであってもよい。受信データには、集中監視室から送信されるインターネット・コンテンツおよび治療関連のデータを含めることができる。受信データは、ビジュアル・コンテンツおよび／またはオーディオ・コンテンツを含んでよく、それらは、モニタ２０１０，２３０４，２４０４で見たり、支持構造内部に埋込まれた音声回路に接続されたイヤホンで聞くことができる。
【００４８】
複数の図面で示し、かつ本明細書で説明した動的運動による非侵襲的治療装置１００，１００ａ，１００ｂは同様に動作し、患者は、この装置上で本明細書に説明した補助支持構造によって支持されつつ、動的運動による治療を受ける。
【００４９】
動的運動による非侵襲的治療装置１００，１００ａ，１００ｂを受容する補助支持構造としては、座部および把持部の配置および設計が異なる補助支持構造を有するなど、他の種類の補助支持構造も考えられる。たとえば、本明細書で説明した補助支持構造の第１実施形態における膝椅子を、別の種類の椅子と交換してもよい。
【００５０】
したがって、開示した本発明の特定の実施形態に関し、添付の特許請求の範囲が規定する発明の範囲および精神の範囲内で変更を加えることは可能であると解される。以上、特許法に従って本発明を詳細かつ精密に説明したので、特許証による保護を求める請求の範囲は、添付の特許請求の範囲に記載する。
【図面の簡単な説明】
【００５１】
【図１】本発明に係る動的運動による非侵襲的治療装置を示す斜視図である。
【図２】本発明に係る動的運動による非侵襲的治療装置を受容する膝椅子支持構造の矩形基部を示す斜視図である。
【図３】本発明に係る矩形基部に実装される膝椅子支持構造の膝椅子を示す斜視図である。
【図４】本発明に係る矩形基部に実装された膝椅子支持構造の膝椅子を示す斜視図である。
【図５】膝椅子支持構造によって支持されつつ、動的運動による非侵襲的治療装置の治療を受けている患者を示す斜視図である。
【図６】膝椅子支持構造の矩形基部に実装される歩行器を示す斜視図である。
【図７】歩行器の脚を配置するために係止可能なドアを備えた実装用シューズを有する矩形基部の別の実施形態を示す斜視図である。
【図７Ａ】矩形基部の実装用シューズ内に歩行器の脚を配置するところを示す斜視図である。
【図８】本発明に係る人間工学的手摺構造を示す斜視図である。
【図９】本発明に係る動的運動による非侵襲的治療装置を受容する人間工学的手摺構造を示す斜視図である。
【図１０】動的運動による非侵襲的治療装置に実装された人間工学的手摺構造を示す斜視図である。
【図１１】人間工学的手摺構造に支持されつつ、動的運動による非侵襲的治療装置の治療を受けている患者を示す斜視図である。
【図１２】本発明に係る人間工学的手摺構造の別の実施形態を示す斜視図である。
【図１３】図１２に示す人間工学的手摺構造が動的運動による非侵襲的治療装置を受容するところを示す斜視図である。
【図１４】図１２に示す人間工学的手摺構造が動的運動による非侵襲的治療装置に実装されたところを示す斜視図である。
【図１５】図１２に示す人間工学的手摺構造によって支持されつつ、動的運動による非侵襲的治療装置の治療を受けている患者を示す斜視図である。
【図１６】本発明に係る人間工学的手摺構造のさらに別の実施形態を示す斜視図である。
【図１７】図１６に示す人間工学的手摺構造が動的運動による非侵襲的治療装置を受容するところを示す斜視図である。
【図１８】図１６に示す人間工学的手摺構造が動的運動による非侵襲的治療装置に実装されたところを示す斜視図である。
【図１９】図１６に示す人間工学的手摺構造によって支持されつつ、動的運動による非侵襲的治療装置の治療を受けている患者を示す斜視図である。
【図２０】本発明に係る人間工学的手摺構造のさらに別の実施形態を示す斜視図である。
【図２１】本発明に係る人間工学的手摺構造と動的運動による非侵襲的治療装置を支持するプラットフォームとを有する人間工学的支持構造の斜視図である。
【図２２】図２１に示す人間工学的支持構造に、動的運動による非侵襲的治療装置の振動治療中、患者が腰掛けることができる座部を取付けることによって得られた、座部を備えた人間工学的支持構造の斜視図である。
【図２３】本発明に係る人間工学的手摺構造とモニタと動的運動による非侵襲的治療装置を支持するプラットフォームとを有する人間工学的支持構造のさらに別の実施形態を示す斜視図である。
【図２４】本発明に係る人間工学的手摺構造と支柱に設けられたモニタと動的運動による非侵襲的治療装置を支持するプラットフォームとを有する人間工学的支持構造のさらに別の実施形態を示す斜視図である。
【図１】
2008531238.tif 000003
【図２】
2008531238.tif 000004
【図３】
2008531238.tif 000005
【図４】
2008531238.tif 000006
【図５】
2008531238.tif 000007
【図６】
2008531238.tif 000008
【図７】
2008531238.tif 000009
【図７Ａ】
2008531238.tif 000010
【図８】
2008531238.tif 000011
【図９】
2008531238.tif 000012
【図１０】
2008531238.tif 000013
【図１１】
2008531238.tif 000014
【図１２】
2008531238.tif 000015
【図１３】
2008531238.tif 000016
【図１４】
2008531238.tif 000017
【図１５】
2008531238.tif 000018
【図１６】
2008531238.tif 000019
【図１７】
2008531238.tif 000020
【図１８】
2008531238.tif 000021
【図１９】
2008531238.tif 000022
【図２０】
2008531238.tif 000023
【図２１】
2008531238.tif 000024
【図２２】
2008531238.tif 000025
【図２３】
2008531238.tif 000026
【図２４】
2008531238.tif 000027
【国際調査報告】
2008531238.tif 000028
2008531238.tif 000029
2008531238.tif 000030